(57)【要約】【課題】磁気ディスク装置が記録再生する著作権付デジタルＡＶ情報の不正コピーを防ぐ。【解決手段】利用者がコンピュータ等０４を介し著作権付デジタルＡＶ情報の送信を著作権管理サーバ０２に要求すると、サーバは公開鍵をディスク装置の携帯電話回路１６に無線送信し、ディスク装置のＣＰＵ１０はディスク２内の暗号キーを読み出し公開鍵で暗号化し携帯電話回路でサーバに無線送信する。そこでサーバは要求されたデジタルＡＶ情報を圧縮し暗号キーで暗号化してコンピュータ等０４に送り、ＣＰＵ１０はこれをディスクに記録する。利用者がコンピュータ等０４を介しＣＰＵ１０へ再生を指令するとＣＰＵはディスクから復号キーを読み出し、圧縮・暗号化デジタルＡＶ情報を回路１７と１８で復号化、解凍させ外部の機器０３へ出力させる。復号化・解凍回路１７と１８はディスクの下側に隠され、ディスクをモータ軸から外そうとするとディスク記録が腐蝕液で破壊される。【選択図】        図１
2004288338.tif 000002
【特許請求の範囲】
【請求項１】
内蔵する磁気ディスク媒体を含むいずれかの記憶手段に予め少なくとも復号キーを記憶してなり、デジタル的に圧縮かつ暗号化されたデジタルＡＶ情報を前記磁気ディスク媒体に記録したのち、再生すべき旨の指令に基づき内部で前記復号キーによる前記デジタルＡＶ情報の復号化およびデジタル圧縮の解凍を連続して行い、この解凍結果としての該デジタルＡＶ情報の再生信号を出力することを特徴とする磁気ディスク装置。
【請求項２】
請求項１に記載の磁気ディスク装置において、
前記復号キーを前記磁気ディスク媒体に記憶させると共に、前記デジタルＡＶ情報の復号化およびデジタル圧縮の解凍を行う回路（以下、復号解凍回路という）を前記磁気ディスク媒体と同じ筐体内に入れてなることを特徴とする磁気ディスク装置。
【請求項３】
請求項２に記載の磁気ディスク装置において、
前記筐体を開けると、少なくとも前記磁気ディスク媒体の記録が破壊されるように構成してなることを特徴とする磁気ディスク装置。
【請求項４】
請求項２に記載の磁気ディスク装置において、
前記復号解凍回路を、前記磁気ディスク媒体と該磁気ディスク媒体を保持回転するスピンドルモータが取付けられた筐体面との間に位置させたことを特徴とする磁気ディスク装置。
【請求項５】
請求項１、２、４のいずれかに記載の磁気ディスク装置において、
前記磁気ディスク媒体を該磁気ディスク媒体を保持回転するスピンドルモータの軸から取り外そうとすると、少なくとも磁気ディスク媒体の記録が破壊されるように構成してなることを特徴とする磁気ディスク装置。
【請求項６】
請求項５に記載の磁気ディスク装置において、
前記磁気ディスク媒体を前記スピンドルモータの軸にクランプするクランプ体の該磁気ディスク媒体に接する面上に溝を設け、この溝の中に該磁気ディスク媒体の記録面を侵す液体あるいはガスを閉じ込めておき、前記磁気ディスク媒体を前記軸から取り外すために、前記クランプ体を外そうとすると、前記溝内の液体あるいはガスが溝外に流出して前記磁気ディスク媒体の記録面を破壊するように構成してなることを特徴とする磁気ディスク装置。
【請求項７】
請求項６に記載の磁気ディスク装置において、
前記溝内に閉じ込めておく液体を酸としたことを特徴とする磁気ディスク装置。
【発明の詳細な説明】
【０００１】
【発明の属する技術分野】
本発明は、著作権のあるデジタルの音声および映像情報を、著作権を安全に保護しながら記録、再生することを可能にする磁気ディスク装置に関する。
なお、以下各図において同一の符号は同一もしくは相当部分を示す。
【０００２】
【従来の技術】
デジタルの音声および映像情報（以下、デジタルＡＶ情報と略記する）は、ＤＶＤなどの記録媒体、インターネット、デジタル放送等から入手できるが、これらを一度デジタル情報として蓄積してしまえば、コピーをとることが可能となり、デジタルＡＶ情報の著作権は守れなくなってしまう。
特に、コンピュータの外部記録装置として主に使われている磁気ディスク装置は、書き込みや読み出しの速度が速く記録容量も大きいためデジタルＡＶ情報を蓄積するのに適した装置であるが、コンピュータのプログラムやデータを安全に保存するために、コンピュータからの指示により記録しているデータ全ての書き込みと読み出しを自由に許可し、著作権保護への対応を行っていなかったため、著作権のあるデジタルＡＶ情報の記録には今まであまり使われていなかった。
【０００３】
このような状態を改善する形で、近時、著作権のあるデジタルＡＶ情報の不正コピーを防ぐ技術が提案されている。
例えば特許文献１には、バス等の所望の情報伝送路を介して記憶装置と任意の周辺機器の間、および周辺機器間にて情報の授受を行うように構成された情報処理装置において取り扱われるデジタルＡＶ情報を不正コピーから守るために、記憶装置および周辺機器の各々に、情報伝送路を経由して情報の授受を行う相手側を認証する機能と、情報伝送路を経由して授受される情報の暗号化および復号化を行う機能との少なくとも一方の機能を備えた構成にし、これにより、バス等のデータ転送経路を通るデータを全て暗号化し、かつ暗号鍵そのものも暗号化してやりとりし安全にデータを伝送する技術が開示されている。
【０００４】
また、特許文献２には、当該デジタルＡＶ情報の不正コピーを防止する機能を持つディスク記憶装置として、ディスク記憶装置が通常のユーザデータの記録動作では、書換え不可能なディスクの記憶領域または内部メモリに予め装置固有の識別データを記憶して、パーソナルコンピュータなどのホストシステムから特定コマンドを受信すると、当該識別データを記憶領域から読出して出力するようにし、
これにより、ホストシステムが映像や音声などのＡＶコンテンツデータをディスク記憶装置に記憶する場合に識別データを読出すことにより当該ディスク記憶装置を識別できて、当該コンテンツデータに対する無制限なコピーを防ぐようにし、
さらに、このようなディスク記憶装置とホストシステムとを有するシステムが、上記識別データを使用してディスク記憶装置に記録するコンテンツデータを暗号化するための暗号化キーデータを生成する暗号データ生成手段を備えるようにし、
これにより、ディスク記憶装置毎にコンテンツデータを暗号化して記録することで当該ディスク記憶装置を別のホストシステムがアクセスしても記録したコンテンツデータの再生が防止され、当該コンテンツデータに対する無制限なコピーを防ぐという技術が開示されている。
【０００５】
【特許文献１】
特開平１１−１６１１６５号公報（第４頁）
【特許文献２】
特開２０００−２９８９４２号公報（第３頁）
【０００６】
【発明が解決しようとする課題】
しかしながら、上述した特許文献１、２の技術で守られる、著作権のあるデジタルＡＶ情報も、次の方法により不正に読み込まれてしまう。
特許文献１の技術を用いたシステム、即ち、記憶装置からコンピュータのバスにデータを放出する時にデータを暗号化させて転送するシステムの場合、記憶装置内には暗号化されていない平文データが存在するので、記憶装置を分解して信号線を取り出すことで、著作権のあるデジタルＡＶ情報を不正に読むことが可能となる。
【０００７】
また、特許文献２に開示された方法、即ち、ディスク記憶装置固有のＩＤデータをディスク上での冗長領域（代替セクタ）やＩＣメモリ（ＥＥＰＲＯＭ）に記憶し、ホストシステムで管理する方法は、通常の使い方であれば著作権を守ることができる。
しかしディスク記憶装置を分解して、装置内のＩＣメモリの信号線から信号を取り出して読むことで、ＩＤデータを解析することが可能である。また、ディスク内にＩＤが記録されている場合でも、装置内のデータチャネルと制御ＣＰＵとの信号線上の信号をロジックアナライザ等で解析することで、ＩＤデータを解析することが可能となる。
【０００８】
これらのＩＤデータが解析されれば、暗号を解読することが容易であり、著作権のあるデジタルＡＶ情報を解読し、別の記録装置にコピーすることが可能となってしまう。
著作権のあるデジタルＡＶ情報を信号線から解読することはゲーム機などでは実際に行われており、著作権のあるデジタルＡＶ情報がディスク記憶装置に記録されるようになれば、十分に解析される可能性が出てくる。
この様に、どこかに暗号化されていない領域が存在するシステムでは、その部分を分解し、信号を取り出すことで、プロテクトを解除することが可能となってしまう。
【０００９】
そこで本発明は、暗号を解読できる情報を持つ部分を機密性の高い磁気ディスク媒体内に集約することにより、著作権のあるデジタルＡＶ情報が解読される危険を少なくすると共に、何らかの方法により解読を行なおうとすると、磁気ディスク媒体の記録が破壊されてしまうようにした、磁気ディスク装置を提供することを課題とする。
【００１０】
【課題を解決するための手段】
前記の課題を解決するために、請求項１の磁気ディスク装置は、
内蔵する磁気ディスク媒体（２）を含むいずれかの記憶手段に予め少なくとも（固有情報２００の一つとしての）復号キーを記憶してなり、デジタル的に圧縮かつ暗号化されたデジタルＡＶ情報（１００Ａ）を前記磁気ディスク媒体に記録したのち、再生すべき旨の指令に基づき内部で前記復号キーによる前記デジタルＡＶ情報の復号化およびデジタル圧縮の解凍を連続して行い、この解凍結果としての該デジタルＡＶ情報の再生信号（デジタルＡＶ信号１００）を（デジタルＡＶ情報機器０３に向けて）出力するようにする。
【００１１】
また請求項２の磁気ディスク装置は、請求項１に記載の磁気ディスク装置において、
前記復号キーを前記磁気ディスク媒体（の固有情報エリア２０）に記憶させると共に、前記デジタルＡＶ情報の復号化およびデジタル圧縮の解凍を行う回路（デジタルＡＶ情報復号化回路１７およびデジタルＡＶ情報解凍回路１８など、以下、復号解凍回路という）を前記磁気ディスク媒体と同じ筐体（１）内に入れてなるようにする。
また請求項３の磁気ディスク装置は、請求項２に記載の磁気ディスク装置において、
前記筐体を開けると、少なくとも前記磁気ディスク媒体の記録が破壊されるように構成してなるようにする。
【００１２】
また請求項４の磁気ディスク装置は、請求項２に記載の磁気ディスク装置において、
前記復号解凍回路を、前記磁気ディスク媒体と該磁気ディスク媒体を保持回転するスピンドルモータ（５）が取付けられた筐体面との間に位置させるようにする。
また請求項５の磁気ディスク装置は、請求項１、２、４のいずれかに記載の磁気ディスク装置において、
前記磁気ディスク媒体を該磁気ディスク媒体を保持回転するスピンドルモータの軸から取り外そうとすると、少なくとも磁気ディスク媒体の記録が破壊されるように構成してなるようにする。
【００１３】
また請求項６の磁気ディスク装置は、請求項５に記載の磁気ディスク装置において、
前記磁気ディスク媒体を前記スピンドルモータの軸にクランプするクランプ体（スピンドルクランプ６）の該磁気ディスク媒体に接する面上に溝（６ａ）を設け、この溝の中に該磁気ディスク媒体の記録面を侵す液体（腐蝕性液体ＬＱ）あるいはガスを閉じ込めておき、前記磁気ディスク媒体を前記軸から取り外すために、前記クランプ体を外そうとすると、前記溝内の液体あるいはガスが溝外に流出して前記磁気ディスク媒体の記録面を破壊するように構成してなるようにする。
【００１４】
また請求項７の磁気ディスク装置は、請求項６に記載の磁気ディスク装置において、前記溝内に閉じ込めておく液体を酸とする。
本発明では、デジタルＡＶ情報を記録する磁気ディスク装置そのものに、以下のような考え方で著作権保護機能を組み込むものである。
著作権保護は、元のデジタルＡＶ情報あるいはデジタル圧縮されたデジタルＡＶ情報を暗号キーを使い暗号化して転送し、必要なときに暗号キーに対応した復号キーで元のデジタルＡＶ情報に戻すことが基本になっている。
暗号化に関しては現在いろいろな暗号化技術があり、これを破るためには膨大な時間を要するため現在のところは安全と考えられている。そのため、著作権保護の重要課題は、「暗号キーあるいは複号キーを著作権管理者以外の人にどうやって隠すか」ということと、「暗号を解除した後のデジタルＡＶ情報をコピーされずにどうやっで音声や映像に出力するか」いうことになる。
【００１５】
先ず「暗号キー、復号キーをどのようにして読み取り難いものとするか」に関しては、本発明では磁気ディスク装置または磁気ディスク媒体の固有情報としての暗号キーと復号キーを、磁気ディスク装置内部の磁気ディスク媒体に書き込む。
こうすると、磁気ディスク媒体にいくつもの暗号キー、復号キーを入れることができるため、より安全性が高まる。また、この固有情報は、一旦書き込まれたあとは、書き換えることができないようにする。
こうして磁気ディスク媒体に書き込まれた固有情報である暗号キー、復号キーのうち暗号キーを人に知られ難いように（本例では盗聴防止の暗号化処理がされる携帯電話（無線通信）により）、著作権のあるデジタルＡＶ情報を管理している著作権管理サーバーへ転送する。
【００１６】
著作権管理サーバーは、転送元の磁気ディスク装置が持つ固有情報の一つである復号キーでしか復号化できない暗号で、つまり転送された暗号キーで著作権のあるデジタルＡＶ情報を暗号化し、この暗号化したデジタルＡＶ情報を磁気ディスク装置に転送し記録させる。
この記録されたデジタルＡＶ情報は、磁気ディスク装置の固有情報中の復号キーを使い復号化することで、映像として見たり、音楽として聞いたりすることが可能となる。
このように磁気ディスク装置内に記憶した固有情報（暗号キーと復号キー）を使うようにしたため、磁気ディスク媒体に記録した暗号化デジタルＡＶ情報は、たとえ読まれたりコピーされたとしても固有情報さえわからないようにしておけば、復号化して見聞きできないため著作権は安全に守られる。
【００１７】
重要な固有情報である暗号キーや復号キーは、コンピュータからの読み出し指示で簡単に読み出されてしまうようでは意味がない。そのため、固有情報に関しては、通常のデータとは違い、コンピュータからの指示であっても磁気ディスク媒体の物理的な読み書きができないようにすることが必要である。
こうしたコンピュータからの固有情報の読み書きができないようにするために本発明では、磁気ディスク装置内に組み込まれたＣＰＵによる制御で、固有情報の部分は磁気ディスク上のサーボエリア等の管理エリアと同様に、コンピュータから見えなくする。
【００１８】
このようにデジタルＡＶ情報を厳密に管理していても、最後に画像に出力するところでデジタル情報がハッキングされてしまうのでは意味がない。そのため本発明では、デジタルＡＶ情報を復号化した直後にＭＰＥＧ−２等で圧縮された情報を解凍する。
これは、解凍されたデジタルＡＶ情報はデータ量が膨大であるため、そのまま記録することが困難であることと、再度圧縮を行い記録しようとした場合、ＭＰＥＧ−２等の通常の圧縮は非可逆変換を用いているため、一度圧縮したデータを解凍して再度圧縮するとデジタルＡＶ情報（画像や音声）が劣化しオリジナルのデジタルＡＶ情報に戻らなくなるためである。
【００１９】
このように、磁気ディスク装置内部に、著作権保護機能を組み込むことで、デジタルＡＶ情報の著作権の安全性を増すとはいえ、ハッカーやクラッカーは磁気ディスク装置を分解することで、その内部の電気回路から信号を取り出し、暗号を解除したデジタルＡＶ情報を取り出したり、磁気ディスク媒体を別な手法で読み出し、暗号キーや解除キーを読み出そうとする。
これらに対処するために本発明では、磁気ディスク装置を分解しても、電気信号を取り出せない仕組みと、磁気ディスク媒体自体の記録が破壊されてしまう仕組みを組み込む。
【００２０】
そのため本発明では、通常の磁気ディスク装置とは異なり、先ず、信号処理部分を磁気ディスク媒体や磁気ヘッドの入った筐体内部に実装することで、プリント基板やＬＳＩのピンから簡単には電気信号を取り出せなくする。
特に信号処理部分を磁気ディスク媒体とスピンドルモータが取付けられた筐体面との間の狭い空間に実装すれば安全性はより高まる。
しかしこの場合でも、筐体を開けて磁気ディスク媒体を取り外し、目的のプリント基板やＬＳＩのピンから信号線を引出し、再度磁気ディスク媒体を取りつけることで、デジタルＡＶ情報を取り出すことが可能となってしまう。
【００２１】
これにも対処するために本発明では、磁気ディスク媒体を取り外そうとすると、その磁気ディスク媒体の記憶が破壊されてしまう機能を盛り込む。即ち、磁気ディスク媒体はクランプを介してスピンドルモータの軸に固定されているが、クランプに細工することで、磁気ディスク媒体を外そうとするとディスクの記録を破壊するようにする。
例えば、クランプの磁気ディスク媒体面に接する面上に溝を掘って、この溝内に液体あるいはガスを封入することで、クランプした状態ではクランプと磁気ディスク媒体とで液体あるいはガスが密閉されているが、磁気ディスク媒体を外そうとすると同時に液体およびガスが周囲に飛び散り磁気ディスク媒体を汚染するようにする。
【００２２】
現在、磁気ヘッドは磁気ディスク媒体の上を２０ｎｍ以下の極低浮上で滑空しているため、わずかな汚染でも読み書きできなくなってしまう。特にこの液体やガスが酸性の場合は、磁気ディスク媒体を激しく腐食させるため、効果が高い。
【００２３】
【発明の実施の形態】
図３は本発明の一実施例としての磁気ディスク媒体２の記録面の構成を示す。同図において、２１は磁気ディスク媒体２の面上に等間隔、放射状に設けられたデータエリアの一つ、２２はデータエリア２１を挟むサーボエリアである。そして２０はデータエリア２１の内周側に設けられた固有情報エリアで、この固有情報エリア２０内にこの磁気ディスク装置０１（または磁気ディスク媒体２）の固有情報２００（この例では、暗号キーおよび復号キー）が書き込まれている。
本例では磁気ディスク媒体２の基板にプラスチックを使用することとし、スタンパの表面に凹凸を形成し、プラスチックを射出成形することで、プラスチック基板の表面に書き換えることのできない情報を入れるための、例えば深さ５０ｎｍの、サーボ情報を書き込むサーボエリア２２と、固有情報２００を書き込む固有情報エリア２０を作成している。
【００２４】
そしてこのプラスチック基板上にスパッタにより下地層、磁性層、保護膜を形成し、さらに潤滑剤を塗布することで、プラスチックの磁気媒体をつくり、この磁気ディスク媒体２に対してサーボライトを行った後に凹みの固有情報エリア２０に固有情報２００を書き込んである。
図１は本発明の一実施例としての磁気ディスク装置０１の要部の構成を示すブロック図、図４は同じく要部の断面図である。図１，４において、本発明に基づき固有情報２００が書き込まれた磁気ディスク媒体２は、スピンドルモータ制御回路１５によって制御されるスピンドルモータ５の軸に装着されて回転する。
【００２５】
磁気ディスク媒体２を読み書きする磁気ヘッド３は、対向する磁石４４間に生成される磁界内において駆動力を受けるコイル４２を他端に持つＶＣＭモータのロータアーム４１の一端に取付けられ、磁気ディスク媒体２の面上を回動し走査する。
１３はＶＣＭモータ４および磁気ヘッド３を制御するコントローラで、サーボ信号処理部３４を介しコイル４２の電流を可変して磁気ヘッド３を指定したトラックに追従させたり、記録部３３を介して磁気ディスク媒体２への書き込みを制御したり、再生部３２を介して磁気ディスク媒体２からの読み出しを制御したりする。
【００２６】
１０はこの磁気ディスク装置０１全体を制御するＣＰＵで、前記スピンドルモータ制御回路１５やコントローラ１３を制御しつつ、磁気ディスク装置０１内のコンピュータインタフェース１４（例えばＳＣＳＩ、ＡＴＡ、ＵＳＢ、ＩＥＥＥ１３９４等）を介して外部のコンピュータやインターネット端末（以下、これらを一括してコンピュータ等という）０４とデータを授受して通常の磁気ディスク装置としての動作を行うほか、本発明の核心となる以下の動作を行う。
即ち、この磁気ディスク装置０１内には本発明によってワンチップ携帯電話回路１６、デジタルＡＶ情報復号化回路１７、デジタルＡＶ情報解凍回路１８が設けられている。
【００２７】
そしてＣＰＵ１０は、デジタル無線装置としてのワンチップ携帯電話回路１６を介し電波により外部の著作権管理サーバ０２へ固有情報２００内の暗号キーを転送し、これによりインターネット等で著作権管理サーバ０２から圧縮・暗号化されて送られてきたデジタルＡＶ情報１００Ａを磁気ディスク媒体２に記録する。
そして、ＣＰＵ１０は磁気ディスク媒体２に記録した圧縮・暗号化デジタルＡＶ情報１００Ａを、再生指令によってデジタルＡＶ情報復号化回路１７およびデジタルＡＶ情報解凍回路１８を介してそれぞれ復号化および解凍を行い、外部のテレビやオーディオ機器等のデジタルＡＶ情報機器０３に出力して見聞き可能にする。
【００２８】
図２は磁気ディスク装置０１を中心とした本発明に関わるデータの流れを示す。次に図１を参照しつつ、図２を用いて磁気ディスク装置０１のＣＰＵ１０の本発明に関わる動作の手順を説明する。
▲１▼先ず磁気ディスク装置０１の正規の利用者（以下単に利用者という）は、コンピュータ等０４を介して目的とするデジタルＡＶ情報を選択し、そのデジタルＡＶ情報に関わる著作権管理サーバ０２へインターネットによってダウンロード要求を行う。
同時に利用者はＣＰＵ１０に対し、どの著作権管理サーバにダウンロード要求をしたかを連絡する。
【００２９】
またこの時、利用者は著作権管理サーバ０２に対してサーバ０２が磁気ディスク装置０１にアクセスするに必要な電話番号やＩＰアドレスを指定すると共に、料金が必要な場合は支払いの処理を行う。
▲２▼著作権管理サーバ０２はこれを受けて、利用者を介することなく磁気ディスク装置０１のＣＰＵ１０に対し直接ワンチップ携帯電話回路１６を介しデジタル無線を使い公開鍵の転送を行う。
▲３▼次にＣＰＵ１０は、磁気ディスク媒体２の内部の固有情報２００の暗号キーを読み込む。
【００３０】
▲４▼そしてＣＰＵ１０は、転送された公開鍵を用いて固有情報２００の暗号キーに対する暗号化処理を行い、暗号化された暗号キーをワンチップ携帯電話回路１６を介しデジタル無線を使い著作権管理サーバ０２に転送する。
▲５▼著作権管理サーバ０２は、ＣＰＵ１０が後で固有情報２００の復号キーで復号化を行えるように、転送された暗号キーを用いて磁気ディスク装置０１から要求されたデジタルＡＶ情報を暗号化処理する。
▲６▼そして著作権管理サーバ０２は、こうして暗号化し且つ圧縮したデジタルＡＶ情報１００Ａを、通常のインターネット等を経由してコンピュータ等０４に配信する。
【００３１】
▲７▼利用者は、こうしてコンピュータ等０４に配信された圧縮・暗号化デジタルＡＶ情報１００Ａを磁気ディスク装置０１のＣＰＵ１０を介し磁気ディスク媒体２に記録させる。
▲８▼これを実際の映像や音楽として見聞きする場合、利用者はコンピュータ等０４を介しＣＰＵ１０に対し目的とするデジタルＡＶ情報のファイル名を指定し、デジタルＡＶ情報機器０３へ再生信号を出力するよう再生指令を発する。
▲９▼これによりＣＰＵ１０は、磁気ディスク媒体２内の固有情報２００の復号キーを読み込み、この復号キーを使って先ずデジタルＡＶ情報復号化回路１７により圧縮・暗号化されたデジタルＡＶ情報１００Ａを復号化処理させる。
【００３２】
続けてＣＰＵ１０は、こうして復号化された圧縮状態のデジタルＡＶ情報１００Ｂを、デジタルＡＶ情報解凍回路１８により解凍させ、解凍再生されたデジタルＡＶ信号１００をデジタルＡＶ情報機器０３へ出力させる。
これにより利用者は、デジタルＡＶ信号１００を映像や音声として見たり聞いたりすることが可能となる。
このように、磁気ディスク装置０１単体で暗号キー、復号キーを扱うことができるため、デジタルＡＶ情報の著作権は、磁気ディスク装置を解体し暗号キー、復号キーを読み出さないかぎり安全に守られる。
【００３３】
しかし本発明の磁気ディスク装置０１はさらに暗号キー、復号キーが読み出せないように以下のように構成されている。
即ち、図４の断面図に示すように、ＣＰＵ１０、コントローラ１３、スピンドルモータ制御回路１５、ワンチップ携帯電話回路１６、デジタルＡＶ情報復号化回路１７、デジタルＡＶ情報解凍回路１８、ヘッドアンプを含む３１〜３４の手段等からなる各種ＬＳＩ９を実装したプリント基板８は、磁気ディスク媒体２の図の下側、つまり磁気ディスク媒体２とスピンドルモータ５が取付けられた筐体１の底面との間の狭い空間に設置されている。
【００３４】
従って、磁気ディスク装置０１の筐体１のカバーを外しただけでは、プリント基板８やＬＳＩ９のピンから簡単には処理途中の著作権保護されていない電気信号を取り出すことはできないようになっている。
図５は図４で磁気ディスク媒体２をスピンドルモータ５の軸に止め付けるために使われているスピンドルクランプ６の斜視図、図６はスピンドルクランプ６の溝６ａに入れた腐食性液体入りチューブ７の断面を示す図である。
即ち、スピンドルクランプ６は磁気ディスク媒体２と接触する部分に溝６ａを開けた構造になっている。そしてこの溝６ａの部分に腐食性の液体ＬＱをチューブ７に封入した状態でセットする。
【００３５】
この例では腐食性液体ＬＱとして１  ％の希硫酸をチューブ７に入れ、スピンドルクランプ６によりチューブ７を磁気ディスク媒体２と共に両側からはさみ込む形でスピンドルモータ５の軸にクランプした。こうしてクランプすることによりチューブ７が破れ、且つこの時、クランプ６と磁気ディスク媒体２の面が腐食性液体ＬＱを漏らさずに閉じ込めるように構成する。
このような構成により、磁気ディスク媒体２や各種ＬＳＩ９のピン等から電気信号を取り出すために磁気ディスク媒体２を外そうとすると、クランプ６と磁気ディスク媒体２の間にできる隙間から腐食性液体ＬＱが流れ出し磁気ディスク媒体２の表面を腐食汚染してしまうため、磁気ディスク媒体２は二度と使えなくなり、磁気ディスク媒体２に書き込まれているデジタルＡＶ情報や暗号キー、復号キーも読み取れなくなってしまう。
【００３６】
また、この磁気ディスク装置０１に別の磁気ディスク媒体を取り付けたとしても、固有情報の暗号キー、復号キーが無いため、著作権を含むデジタルＡＶ情報を取り扱うことができなくなってしまう。
このようにして、著作権を含むデジタルＡＶ情報を安全に守ることが可能となる。
なお、以上の実施例では固有情報２００を磁気ディスク媒体２に書き込んだが、磁気ディスク媒体２に代わり、磁気ディスク媒体２と同一の筐体内に設けた他の記憶手段、例えばＥＥＰＲＯＭ等に書き込むこともできる。
【００３７】
この場合、上記の他の記憶手段を例えば図４の各種ＬＳＩ９と同様な位置に設置し、他の記憶手段からの固有情報の読み出しが極力困難になるようにする。
【００３８】
【発明の効果】
請求項１に関わる発明によれば、磁気ディスク装置がその内部の磁気ディスク媒体を含むいずれかの記憶手段に予め少なくとも復号キーを記憶し、暗号化デジタルＡＶ情報を磁気ディスク媒体に記録したのち、再生指令に基づき装置内部で暗号化デジタルＡＶ情報を上記復号キーを用いて復号化し、再生出力するようにしたので、装置外部に重要な復号キーを出力することなく装置内部で暗号化デジタルＡＶ情報の復号化処理ができるため、デジタルＡＶ情報に対する著作権保護の安全性が高まる。
【００３９】
さらに、磁気ディスク装置内でデジタル圧縮されたデジタルＡＶ情報の解凍も行うようにしたので、圧縮されたデジタルＡＶ情報をコピーされる危険性が少なくなる。
また、請求項２、４に関わる発明によれば、復号化処理用の電気回路やＬＳＩを磁気ディスク媒体と同じ磁気ディスク装置の筐体内に隠すようにしたので、処理途中のデジタルＡＶ情報を取り出される危険が減少する。
さらに請求項３、５〜７に関わる発明によれば、磁気ディスク装置あるいは磁気ディスク媒体が分解されると同時に、磁気ディスク媒体の記録が破壊されるようにしたため、磁気ディスク媒体内の固有情報を取り出すことは不可能になり、そこで別の磁気ディスク媒体を組み込んだとしても、固有の暗号キーあるいは復号キーがないため、暗号化デジタルＡＶ情報を扱えなくなる。
【図面の簡単な説明】
【図１】本発明の一実施例としての磁気ディスク装置を含むシステム要部の構成図
【図２】図１の磁気ディスク装置の本発明に関わるデータの流れを示す図
【図３】図１の磁気ディスク媒体の記録面の構成を示す図
【図４】図１の磁気ディスク装置の要部の断面図
【図５】図４のスピンドルクランプの斜視図
【図６】図５のスピンドルクランプの腐食性液体入りチューブを含む断面図
【符号の説明】
０１                          磁気ディスク装置
０２                          著作権管理サーバ
０３                          デジタルＡＶ情報機器
０４                          コンピュータ等
１                            筐体
２                            磁気ディスク媒体
３                            磁気ヘッド
４                            ＶＣＭモータ
５                            スピンドルモータ
６                            スピンドルクランプ
６ａ                          溝
７                            チューブ
ＬＱ                          腐食性液体
８                            プリント基板
９                            各種ＬＳＩ
１０                          ＣＰＵ
１３                          コントローラ
１４                          コンピュータインタフェース
１５                          スピンドルモータ制御回路
１６                          ワンチップ携帯電話回路
１７                          デジタルＡＶ情報復号化回路
１８                          デジタルＡＶ情報解凍回路
２０                          固有情報エリア
２１                          データエリア
２２                          サーボエリア
３１                          ヘッドアンプ
３２                          再生部
３３                          記録部
３４                          サーボ信号処理部
４１                          ＶＣＭモータのロータアーム
４２                          コイル
４３                          ＶＣＭモータの回転軸
４４                          磁石
４５                          ヨーク
１００                        デジタルＡＶ信号
１００Ａ                      圧縮・暗号化デジタルＡＶ情報
１００Ｂ                      圧縮デジタルＡＶ情報
２００                        固有情報
【図１】
2004288338.tif 000003
【図２】
2004288338.tif 000004
【図３】
2004288338.tif 000005
【図４】
2004288338.tif 000006
【図５】
2004288338.tif 000007
【図６】
2004288338.tif 000008